(57)【特許請求の範囲】
【請求項１】
筐体に複数の電源ユニットを装着可能にして、システム動作を中断することなく電源ユニットを交換することのできる電源装置に於いて、上記各電源ユニットに、当該ユニットの電源スイッチがスイッチオン位置にあるとき作動が規制され、スイッチオフ位置にあるときその規制が解除されて当該ユニットを筐体より抜去可能にする施錠機構を設けてなることを特徴とする電源装置。
【請求項２】
筐体に複数の電源ユニットを装着可能にして、システム動作を中断することなく電源ユニットを交換することのできる電源装置に於いて、上記各電源ユニットに、当該ユニットのＡＣ電源入力インレットに電源プラグが差し込まれているとき作動が規制され、電源プラグが抜かれた状態にあるときその規制が解除されて当該ユニットを筐体より抜去可能にする施錠機構を設けてなることを特徴とする電源装置。
【請求項３】
施錠機構は直線方向に移動可能なスライド板、又は支点を中心に回動するスライド板を用いて構成される請求項１又は２記載の電源装置。
【請求項４】
電源スイッチにトグルスイッチを用い、当該スイッチのオン側操作部を操作してスイッチオン状態としたときオフ側操作部が筐体のパネル面より突出して当該オフ側操作部がスライド板のスライド通路を塞ぎ、オフ側操作部を操作してスイッチオフ状態としたときオフ側操作部が筐体のパネル面に面一又は没入状態となってスライド板のスライド通路が解放される請求項１又は３記載の電源装置。
【請求項５】
インレットにプラグが差込まれているときプラグがスライド板のスライド通路を塞ぎ、インレットよりプラグが抜かれたときスライド板のスライド通路を解放する請求項２又は３記載の電源装置。
【請求項６】
施錠機構は、電源スイッチのオフ側操作部を一部覆う位置とユニット筐体下端より所定量突出する位置とを上下通路端とするスライド板と、当該スライド板をスライド可能に支持し任意の位置で固定するスライド板支持固定捩子と、当該スライド板支持固定捩子が嵌入されるスライドガイド孔とにより構成される請求項１記載の電源装置。
【請求項７】
施錠機構は、ＡＣ電源入力インレットの一部面を覆う位置とユニット筐体下端より所定量突出する位置とを上下通路端とするスライド板と、当該スライド板をスライド可能に支持し任意の位置で固定するスライド板支持固定捩子と、当該スライド板支持固定捩子が嵌入されるスライドガイド孔とにより構成される請求項２記載の電源装置。
【請求項８】
筐体に冗長化電源を構成する複数の電源ユニット装着機構を備えて電源ユニットの稼働中交換を可能にしたコンピュータシステムに於いて、
上記各冗長化電源ユニットの筐体に、
外部ＡＣ電源をユニット内部の電源回路へ供給制御するＡＣスイッチと、
上記ＡＣスイッチがスイッチオン位置にあるときスライド量が規制され、スイッチオフ位置にあるときスライド量の規制が解除されて、スライド量が規制されているとき当該電源ユニットをコンピュータシステムの筐体内定位置に固定化し、スライド量の規制が解除されたとき当該電源ユニットをコンピュータシステムの筐体より抜去可能にするスライド板と
を具備してなることを特徴とするコンピュータシステム。
【請求項９】
筐体に冗長化電源を構成する複数の電源ユニット装着機構を備えて電源ユニットの稼働中交換を可能にしたコンピュータシステムに於いて、
上記各冗長化電源ユニットの筐体に、
ＡＣケーブル及びＡＣプラグを介して外部より供給されるＡＣ電源を受けるＡＣインレットと、
上記ＡＣインレットにＡＣプラグが差込まれているときスライド量が規制され、ＡＣプラグが差込まれていないときスライド量の規制が解除されて、スライド量が規制されているとき当該電源ユニットをコンピュータシステムの筐体内定位置に固定化し、スライド量の規制が解除されたとき当該電源ユニットをコンピュータシステムの筐体より抜去可能にするスライド板と
を具備してなることを特徴とするコンピュータシステム。
【請求項１０】
ＡＣスイッチにトグルスイッチを用い、当該スイッチのオン側操作部を操作してスイッチオン状態としたときオフ側操作部が筐体のパネル面より突出して当該オフ側操作部がスライド板のスライド通路を塞ぎ、オフ側操作部を操作してスイッチオフ状態としたときオフ側操作部が筐体のパネル面に面一又は没入状態となってスライド板のスライド通路が解放される請求項８記載のコンピュータシステム。
【請求項１１】
ＡＣインレットにＡＣプラグが差込まれているときＡＣプラグがスライド板のスライド通路を塞ぎ、ＡＣインレットよりＡＣプラグが抜かれたときスライド板のスライド通路を解放する請求項９記載のコンピュータシステム。
【請求項１２】
支点を中心に回動するスライド板を用いた請求項８又は９又は１０又は１１記載のコンピュータシステム。
【請求項１３】
スライド板は、当該スライド板をスライド可能に支持し任意の位置で固定するスライド板支持固定捩子が嵌入されるスライドガイド孔を有して、電源スイッチのオフ側操作部を一部覆う位置とユニット筐体下端より所定量突出する位置とを上下通路端とする請求項８記載のコンピュータシステム。
【請求項１４】
スライド板は、当該スライド板をスライド可能に支持し任意の位置で固定するスライド板支持固定捩子が嵌入されるスライドガイド孔を有して、ＡＣインレットの一部面を覆う位置とユニット筐体下端より所定量突出する位置とを上下通路端とする請求項９記載のコンピュータシステム。
【発明の詳細な説明】
【０００１】
【発明の属する技術分野】
本発明は、コンピュータシステムに用いて好適な冗長電源ユニットの稼働中交換機能を備えた電源装置に関する。
又、本発明は、筐体に複数の冗長化電源ユニット装着機構を備えて電源ユニットの稼働中交換を可能にした例えばＰＣサーバ等のコンピュータシステムに関する。
【０００２】
【従来の技術】
近年、コンピュータシステムに於けるＰＣサーバ等の電源は、二重化やＮ＋１方式による冗長方式を採用する機種が増えてきている。
この冗長電源方式の特徴として、電源システムを構成している複数の電源ユニットのうちの一台が故障した場合に、システムの電源を遮断しないで別の正常な電源と交換する機能がある。
【０００３】
この機能を稼働中交換機能といい、システムの稼働を中断することなく電源の交換や増設が可能となるため、高信頼性ＰＣサーバとしては非常に有効な機能となっている。
【０００４】
この種、冗長化電源による稼働中交換機能の実現手段を図８及び図９を参照して説明する。
図８はＰＣサーバを背面からみた図であり、電源ユニットの稼働中交換は、背面側から手前方向に抜き差しすることにより行なわれる。図９は図８の内部電源構成をブロック図である。
【０００５】
図中、８０はＰＣサーバの筐体、８１，８１は冗長化電源を構成する電源ユニット、８２，８２は電源ユニット８１，８１の筐体背面に設けられた電源のオン／オフスイッチ（ＡＣスイッチ）、８３はＡＣ電源の分配回路、ヒューズボックス、ノイズフィルタ等を備えたＡＣ電源入力部（ＡＣＢＯＸ）、８４は電源ユニット８１，８１を回路接続し、当該電源ユニット８１，８１で生成された電源  （ここではＤＣ出力電源）をＰＣサーバの各負荷に供給する電源バックパネル部（電源ＢＰ）である。
【０００６】
上記ＰＣサーバには、筐体８０に２台の電源ユニット（電源１、電源２）８１，８１が実装可能である。ＰＣサーバはそのうちの１台の電源ユニット（電源１又は電源２）８１によってもシステム稼働可能である。
【０００７】
ここで、いずれか一方の電源ユニット（電源１又は電源２）８１が故障した場合、故障した電源ユニット８１の出力は停止するが、電源ユニット間に於いて、制御信号等はＡＣ電源がオンされている限り出力されている場合があり、従ってＰＣサーバの電源出力安定化のため、ユニット交換の際は、故障した電源ユニットのＡＣスイッチを切断してから（スイッチオフ状態にしてから）当該故障電源ユニットを筐体より抜去する方式が一般的である。
【０００８】
また、故障した電源ユニットの代わりに、正常な電源ユニットを実装する際は、電源出力や制御信号などをオフした状態で、筐体に挿入（実装）しないと、やはり電源出力が不安定になるため、ＡＣスイッチ８２を切断してから実装する。
【０００９】
以上の電源着脱制御を行なうことにより、電源ユニットの故障が発生してもシステムへの供給電源を停止することなく、故障電源の交換が可能となる。
尚、上記した構成以外にも、電源ユニットのＡＣインレットに、直接、ＡＣケーブルのプラグを差込み、ＡＣケーブルのプラグをＡＣインレットに対し挿抜することでＡＣ電源のオン／オフを実現している構成のものもある。
【００１０】
しかしながら、上記した従来のＰＣサーバの電源実装構造に於いては、ＡＣスイッチをオフしなくても（又はＡＣケーブルのプラグをＡＣインレットに差込んだままでも）電源ユニットを挿抜できる。従って電源ユニットの抜去／実装操作の際に、その操作手順を誤り、ＡＣスイッチを切れ忘れて（ＡＣスイッチをオンにしたまま）又はＡＣケーブルのプラグをＡＣインレットに差込んだまま、電源ユニットの交換を行なってしまうことが可能であり、この場合は、システム電源の停止、システムイニシャライズの発生等を招く虞があることから、高信頼性を重視するＰＣサーバに於いて重大な事故につながる可能性があるという問題を残していた。これらの問題はＰＣサーバに限らず、他の冗長化電源をもつコンピュータシステムに於いても同様の問題が生じる。
【００１１】
【発明が解決しようとする課題】
上記したように従来のＰＣサーバに於ける電源実装構造に於いては、ＡＣスイッチをオフしなくても（又はＡＣケーブルのプラグをＡＣインレットに差込んだままでも）電源ユニットを挿抜できることから、電源ユニットの抜去／実装操作の際に、その操作手順を誤り、ＡＣスイッチを切れ忘れて（ＡＣスイッチをオンにしたまま）又はＡＣケーブルのプラグをＡＣインレットに差込んだまま、電源ユニットの交換を行なってしまう虞があり、この際は、システム電源の停止、システムイニシャライズの発生等を招き、高信頼性を重視するＰＣサーバに於いて重大な事故につながる可能性があるという問題を有していた。また、冗長化電源をもつ他のコンピュータシステムに於いても同様の問題を有していた。
【００１２】
本発明は上記実情に鑑みなされたもので、コンピュータシステムに適用される電源ユニットの稼働中交換機能を備えた電源装置に於いて、電源スイッチがオフ操作されないと、当該電源ユニットを交換することができない施錠機構を各電源ユニットに備えて、電源ユニットの故障交換時等に於ける操作ミスに伴うシステム動作上の各種不都合を確実に防止することのできるようにした、冗長電源ユニットの稼働中交換機能を備えた電源装置を提供することを目的とする。
【００１３】
また、本発明は、コンピュータシステムに適用される電源ユニットの稼働中交換機能を備えた電源装置に於いて、電源ユニットのインレットより電源プラグが抜かれた状態にならないと、当該電源ユニットを交換することができない施錠機構を電源ユニットに備えて、電源ユニットの故障交換時等に於ける操作ミスに伴うシステム動作上の各種不都合を確実に防止することのできるようにした、冗長電源ユニットの稼働中交換機能を備えた電源装置を提供することを目的とする。
【００１４】
また、本発明は、筐体に冗長化電源を構成する複数の電源ユニット装着機構を備えて電源ユニットの稼働中交換を可能にしたＰＣサーバ等のコンピュータシステムに於いて、電源ユニットに設けられた電源スイッチがオフ操作されないと、当該電源ユニットを交換することができない施錠機構を各電源ユニットに備えて、電源ユニットの故障交換時等に於ける操作ミスに伴うシステム動作上の各種不都合を確実に防止することのできるようにした、電源ユニットの稼働中交換が可能なコンピュータシステムを提供することを目的とする。
【００１５】
また、本発明は、筐体に冗長化電源を構成する複数の電源ユニット装着機構を備えて電源ユニットの稼働中交換を可能にしたＰＣサーバ等のコンピュータシステムに於いて、電源ユニットのインレットより電源プラグが抜かれた状態にならないと、当該電源ユニットを交換することができない施錠機構を電源ユニットに備えて、電源ユニットの故障交換時等に於ける操作ミスに伴うシステム動作上の各種不都合を確実に防止することのできるようにした、電源ユニットの稼働中交換が可能なコンピュータシステムを提供することを目的とする。
【００１６】
【課題を解決するための手段】
本発明は、電源ユニットに、電源スイッチ、電源プラグ等のＡＣ電源入力機構に関連する施錠機構を設けて、電源スイッチがオフ操作されないと、または電源ユニットのインレットより電源プラグが抜かれた状態にならないと、当該電源ユニットを交換することができない構造としたことを特徴とする。
【００１７】
即ち、本発明は、筐体に複数の電源ユニットを装着可能にして、システム動作を中断することなく電源ユニットを交換することのできる電源装置に於いて、上記各電源ユニットに、当該ユニットの電源スイッチがスイッチオン位置にあるとき作動が規制され、スイッチオフ位置にあるときその規制が解除されて当該ユニットを筐体より抜去可能にする施錠機構を設けてなることを特徴とする。
【００１８】
また、本発明は、筐体に複数の電源ユニットを装着可能にして、システム動作を中断することなく電源ユニットを交換することのできる電源装置に於いて、上記各電源ユニットに、当該ユニットのＡＣ電源入力インレットに電源プラグが差し込まれているとき作動が規制され、電源プラグが抜かれた状態にあるときその規制が解除されて当該ユニットを筐体より抜去可能にする施錠機構を設けてなることを特徴とする。
【００１９】
また、本発明は、上記電源装置に於いて、施錠機構が、直線方向に移動可能なスライド板、又は支点を中心に回動するスライド板を用いて構成されることを特徴とする。
【００２０】
また、本発明は、上記電源装置に於いて、電源スイッチにトグルスイッチを用い、当該スイッチのオン側操作部（操作ボタンのオン側腹部）を操作してスイッチオン状態としたときオフ側操作部（操作ボタンのオフ側腹部）が筐体のパネル面より突出して当該オフ側操作部がスライド板のスライド通路を塞ぎ、オフ側操作部を操作してスイッチオフ状態としたときオフ側操作部が筐体のパネル面に面一又は没入状態となってスライド板のスライド通路が解放される構造としたことを特徴とする。
【００２１】
また、本発明は、上記電源装置に於いて、電源スイッチのオフ側操作部を一部覆う位置とユニット筐体下端より所定量突出する位置とを上下通路端とするスライド板と、当該スライド板をスライド可能に支持し任意の位置で固定するスライド板支持固定捩子と、当該スライド板支持固定捩子が嵌入されるスライドガイド孔とにより施錠機構を構成してなることを特徴とする。
【００２２】
また、本発明は、上記電源装置に於いて、インレットにプラグが差込まれているときプラグがスライド板のスライド通路を塞ぎ、インレットよりプラグが抜かれたときスライド板のスライド通路を解放する構造としたことを特徴とする。
【００２３】
また、本発明は、上記電源装置に於いて、ＡＣ電源入力インレットの一部面を覆う位置とユニット筐体下端より所定量突出する位置とを上下通路端とするスライド板と、当該スライド板をスライド可能に支持し任意の位置で固定するスライド板支持固定捩子と、当該スライド板支持固定捩子が嵌入されるスライドガイド孔とにより施錠機構を構成してなることを特徴とする。
【００２４】
また、本発明は、筐体に冗長化電源を構成する複数の電源ユニット装着機構を備えて電源ユニットの稼働中交換を可能にしたＰＣサーバ等のコンピュータシステムに於いて、上記各冗長化電源ユニットの筐体に、外部ＡＣ電源をユニット内部の電源回路へ供給制御するＡＣスイッチと、上記ＡＣスイッチがスイッチオン位置にあるときスライド量が規制され、スイッチオフ位置にあるときスライド量の規制が解除されて、スライド量が規制されているとき当該電源ユニットをコンピュータシステムの筐体内定位置に固定化し、スライド量の規制が解除されたとき当該電源ユニットをコンピュータシステムの筐体より抜去可能にするスライド板とを具備してなることを特徴とする。
【００２５】
また、本発明は、筐体に冗長化電源を構成する複数の電源ユニット装着機構を備えて電源ユニットの稼働中交換を可能にしたＰＣサーバ等のコンピュータシステムに於いて、上記各冗長化電源ユニットの筐体に、ＡＣケーブル及びＡＣプラグを介して外部より供給されるＡＣ電源を受けるＡＣインレットと、上記ＡＣインレットにＡＣプラグが差込まれているときスライド量が規制され、ＡＣプラグが差込まれていないときスライド量の規制が解除されて、スライド量が規制されているとき当該電源ユニットをコンピュータシステムの筐体内定位置に固定化し、スライド量の規制が解除されたとき当該電源ユニットをコンピュータシステムの筐体より抜去可能にするスライド板とを具備してなることを特徴とする。
【００２６】
また、本発明は、上記コンピュータシステムに於いて、ＡＣスイッチにトグルスイッチを用い、当該スイッチのオン側操作部を操作してスイッチオン状態としたときオフ側操作部が筐体のパネル面より突出して当該オフ側操作部がスライド板のスライド通路を塞ぎ、オフ側操作部を操作してスイッチオフ状態としたときオフ側操作部が筐体のパネル面に面一又は没入状態となってスライド板のスライド通路が解放される構造としたことを特徴とする。
【００２７】
また、本発明は、上記コンピュータシステムに於いて、ＡＣインレットにＡＣプラグが差込まれているときＡＣプラグがスライド板のスライド通路を塞ぎ、ＡＣインレットよりＡＣプラグが抜かれたときスライド板のスライド通路を解放する構造としたことを特徴とする。
【００２８】
上記したように、コンピュータシステムに適用される電源ユニットの稼働中交換機能を備えた電源装置に於いて、電源スイッチがオフ操作されないと、または電源ユニットのインレットより電源プラグが抜かれた状態にならないと、当該電源ユニットを交換することができない機構を各電源ユニットに備えることによって、電源ユニットの故障交換時等に於ける操作ミスに伴うシステム動作上の各種不都合を確実に防止することができる。
【００２９】
また、筐体に冗長化電源を構成する複数の電源ユニット装着機構を備えて電源ユニットの稼働中交換を可能にしたコンピュータシステムに於いて、電源スイッチがオフ操作されないと、または電源ユニットのインレットより電源プラグが抜かれた状態にならないと、当該電源ユニットを交換することができない機構を電源ユニットに備えて、電源ユニットの故障交換時等に於ける操作ミスに伴うシステム動作上の各種不都合を確実に防止することができる。
【００３０】
【発明の実施の形態】
以下図面を参照して本発明の実施形態を説明する。ここでは本発明を実現するコンピュータシステムとしてＰＣサーバを例に採る。
図１乃至図３はそれぞれ本発明の第１実施形態を説明するためのもので、図１はＰＣサーバを背面からみた図、図２は上記第１実施形態に於ける要部の構成を示す正面図、図３は同側面図である。
【００３１】
図に於いて、１０はＰＣサーバ（ＰＤＶ）の筐体であり、１１，１１は当該筐体１０に背面部より抜き差し可能に収納される電源ユニット（ＰＳ）である。
１２は上記各電源ユニット（ＰＳ）１１に設けられた電源のオン／オフスイッチ（ＡＣスイッチ）であり、ここでは、波形スイッチと呼ばれるトグルスイッチを用いて構成され、ユニット交換の都度、オン／オフ操作される。このＡＣスイッチ（ＳＷ）１２は、オン（ＯＮ）側の操作部（操作ボタンのオン側腹部）を押圧操作してスイッチオン状態としたときオフ（ＯＦＦ）側の操作部（操作ボタンのオフ側腹部）がユニット筐体のパネル面より突出し、オフ側操作部を押圧操作してスイッチオフ状態としたときオフ側操作部が筐体のパネル面と面一になるように取り付けられる。
【００３２】
１３は上記各電源ユニット（ＰＳ）１１に設けられた施錠機構（ＬＭ）であり、図２及び図３に示すように、スライド板１３ａと、スライド板支持固定捩子１３ｂと、スライドガイド孔１３ｃとにより構成される。
【００３３】
上記スライド板１３ａは、ユニット筐体に設けられたスライドガイド１４とスライドガイド孔１３ｃとにより、図２に実線及び二点鎖線で示すようにＡＣスイッチ（ＳＷ）１２の操作部下半部（オフ側操作部）位置とユニット筐体下端より所定量突出する位置とを上下通路端としてスライド位置及びスライド量が規制される。
【００３４】
また、スライド板支持固定捩子１３ｂは、スライド板１３ａのスライドガイド孔１３ｃに緩挿されて、スライド板１３ａをスライド可能に支持し、捩子の締め付けによりスライド板１３ａを任意のスライド位置で固定する。
【００３５】
上記構成に於いて、ＡＣスイッチ（ＳＷ）１２がスイッチオン位置にあるときは、当該スイッチのオフ側操作部（操作ボタンのオフ側腹部）が筐体のパネル面より突出して施錠機構（ＬＭ）１３のスライド板１３ａのスライド通路を塞いで、スライド板１３ａを図２に二点鎖線で示すスライド上端までスライドさせることができないため、スライド板１３ａの下端がＰＣサーバ（ＰＤＶ）筐体１０の内部に位置している。
【００３６】
従って、ＡＣスイッチ（ＳＷ）１２をスイッチオフ操作し、当該スイッチのオフ側操作部（操作ボタンのオフ側腹部）がユニット筐体のパネル面と面一になるようにして、スライド板１３ａを図２に二点鎖線で示すようにスライド上端までスライドできる状態にしない限り、スライド板１３ａとＰＣサーバ（ＰＤＶ）筐体１０との係合を解くことができない。
【００３７】
これにより、ＰＣサーバ（ＰＤＶ）に於いて、電源ユニット（ＰＳ）１１を交換しようとする際は、ＡＣスイッチ（ＳＷ）１２をスイッチオフ操作した後でなければ、当該電源ユニット（ＰＳ）１１をＰＣサーバ（ＰＤＶ）筐体１０より取り外すことができない。
【００３８】
また、電源ユニット（ＰＳ）１１をＰＣサーバ（ＰＤＶ）筐体１０に収納する（取り付ける）際に於いても、ＡＣスイッチ（ＳＷ）１２をスイッチオフ操作し、当該スイッチのオフ側操作部（操作ボタンのオフ側腹部）がユニット筐体のパネル面と面一になるようにして、スライド板１３ａを図２に二点鎖線で示すようにスライド上端までスライドできる状態にしない限り、スライド板１３ａがＰＣサーバ（ＰＤＶ）筐体１０に係合して、電源ユニット（ＰＳ）１１をＰＣサーバ
（ＰＤＶ）筐体１０に収納することができない。
【００３９】
これにより、電源ユニット（ＰＳ）１１をＰＣサーバ（ＰＤＶ）筐体１０に実装しようとする際も、ＡＣスイッチ（ＳＷ）１２をスイッチオフ操作した後でなければ、当該電源ユニット（ＰＳ）１１をＰＣサーバ（ＰＤＶ）筐体１０に収納できない。
【００４０】
上記したような施錠機構（ＬＭ）１３を各電源ユニット（ＰＳ）１１，１１に設けることによって、電源ユニットの故障交換時等に於けるＡＣスイッチ（ＳＷ）１２の操作ミスに伴うシステム動作上の各種不都合を確実に防止することのできる。
【００４１】
また、施錠機構（ＬＭ）１３は、高価な部品を一切必要とせず非常にローコストで実現でき、かつＰＣサーバ（ＰＤＶ）筐体１０に何等の細工を必要としないことから、システム全体に掛かるコストアップを著しく低く抑えることができ、従って、ＰＣサーバに限らず、常時安定稼働が要求される各種のコンピュータシステムに容易に適用可能である。
【００４２】
図４乃至図６はそれぞれ本発明の第２実施形態を説明するためのもので、図４はＰＣサーバの背面図、図５は要部の構成を示す正面図、図６は同側面図である。
【００４３】
図に於いて、２０はＰＣサーバ（ＰＤＶ）の筐体であり、２１，２１は当該筐体２０に背面部より抜き差し可能に収納される電源ユニット（ＰＳ）である。
２２は上記各電源ユニット（ＰＳ）２１に設けられたＡＣ電源の入力インレットである。
【００４４】
２３ａ乃至２３ｃそれぞれ上記各電源ユニット（ＰＳ）２１に設けられた施錠機構の構成要素をなすもので、２３ａはスライド板、２３ｂはスライド板支持固定捩子、２３ｃはスライドガイド孔である。
【００４５】
上記スライド板２３ａは、ユニット筐体に設けられたスライドガイド２４とスライドガイド孔２３ｃとにより、図５に実線及び二点鎖線で示すようにＡＣ電源入力インレット２２の下半部位置とユニット筐体下端より所定量突出する位置とを上下通路端としてスライド位置及びスライド量が規制される。
【００４６】
また、スライド板支持固定捩子２３ｂは、スライド板２３ａのスライドガイド孔２３ｃに緩挿されて、スライド板２３ａをスライド可能に支持し、捩子の締め付けによりスライド板２３ａを任意のスライド位置で固定する。
【００４７】
２５はＡＣ電源入力インレット２２に差し込まれる電源コード先端の電源プラグである。
上記構成に於いて、ＡＣ電源入力インレット２２に電源コードの先端に設けられた電源プラグ２５が差し込まれているときは、電源プラグ２５がスライド板２３ａのスライド通路を塞いで、スライド板２３ａを図５に二点鎖線で示すスライド上端までスライドさせることができないため、スライド板２３ａの下端がＰＣサーバ（ＰＤＶ）筐体２０の内部に位置している。
【００４８】
従って、ＡＣ電源入力インレット２２から電源プラグ２５を取り外し、スライド板２３ａを図５に二点鎖線で示すようにスライド上端までスライドできる状態にしない限り、スライド板２３ａとＰＣサーバ（ＰＤＶ）筐体２０との係合を解くことができない。
【００４９】
これにより、ＰＣサーバ（ＰＤＶ）に於いて、電源ユニット（ＰＳ）２１を交換しようとした際は、ＡＣ電源入力インレット２２から電源プラグ２５を取り外し、ＡＣ電源の供給を断った後でなければ、当該電源ユニット（ＰＳ）２１をＰＣサーバ（ＰＤＶ）筐体２０より取り外すことができない。
【００５０】
また、電源ユニット（ＰＳ）１１をＰＣサーバ（ＰＤＶ）筐体１０に収納する（取り付ける）際に於いても、ＡＣ電源入力インレット２２から電源プラグ２５を取り外し、スライド板２３ａを図５に二点鎖線で示すようにスライド上端までスライドできる状態にしない限り、スライド板２３ａとＰＣサーバ（ＰＤＶ）筐体２０との係合を解くことができない。
【００５１】
これにより、電源ユニット（ＰＳ）１１をＰＣサーバ（ＰＤＶ）筐体１０に実装しようとする際も、ＡＣ電源入力インレット２２から電源プラグ２５を取り外し、ＡＣ電源の供給を断った後でなければ、当該電源ユニット（ＰＳ）２１をＰＣサーバ（ＰＤＶ）筐体２０に収納できない。
【００５２】
上記したような施錠機構を各電源ユニット（ＰＳ）２１，２１に設けることによって、電源ユニットの故障交換時等に於けるＡＣ電源の供給誤りに伴うシステム動作上の各種不都合を確実に防止することができる。
【００５３】
また、施錠機構は、高価な部品を一切必要とせず非常にローコストで実現でき、かつＰＣサーバ（ＰＤＶ）筐体２０に何等の細工を必要としないことから、システム全体に掛かるコストアップを著しく低く抑えることができ、従って、ＰＣサーバに限らず、常時安定稼働が要求される各種のコンピュータシステムに容易に適用可能である。
【００５４】
図７は本発明の第３実施形態による要部の構成を示す図である。
図７に於いて、３０はＰＣサーバ（ＰＤＶ）の筐体であり、３１，３１はそれぞれ当該ＰＣサーバ（ＰＤＶ）筐体３０に背面部より抜き差し可能に収納される電源ユニット（ＰＳ）である。
【００５５】
３２は上記各電源ユニット（ＰＳ）３１に設けられた電源のオン／オフスイッチ（ＡＣスイッチ）であり、ここでは、波形スイッチと呼ばれるトグルスイッチを用いて構成され、ユニット交換の都度、オン／オフ操作される。このＡＣスイッチ（ＳＷ）３２は、オン（ＯＮ）側の操作部（操作ボタンのオン側腹部）を押圧操作してスイッチオン状態としたときオフ（ＯＦＦ）側の操作部（操作ボタンのオフ側腹部）がユニット筐体のパネル面より突出し、オフ側操作部を押圧操作してスイッチオフ状態としたときオフ側操作部が筐体のパネル面と面一になるように取り付けられる。
【００５６】
３３は上記各電源ユニット（ＰＳ）３１に設けられた施錠機構の構成要素をなすスライド板であり、支点３４を中心に、ＡＣスイッチ（ＳＷ）３２のオフ（ＯＦＦ）側操作部（操作ボタンのオフ側腹部）を跨ぐ図示実線位置と一点鎖線位置との間で回動可能に設けられる。３５はユニット筐体内部に設けられた、スライド板３３の回動位置を規制するためのストッパであり、電源ユニット（ＰＳ）３１がＰＣサーバ（ＰＤＶ）筐体３０に実装されているとき、当該ユニットに設けられたスライド板３３を図示実線位置で支持して、スライド板１３の一部をＰＣサーバ筐体内に係合せしめ、電源ユニット（ＰＳ）３１のＰＣサーバ（ＰＤＶ）筐体３０からの取り出しを防止している。
【００５７】
上記構成に於いて、ＡＣスイッチ（ＳＷ）３２がスイッチオン位置にあるときは、当該スイッチのオフ側操作部（操作ボタンのオフ側腹部）が筐体のパネル面より突出してスライド板３３のスライド通路を塞ぎ、スライド板３３を図７に一点鎖線で示すスライド上端までスライドさせることができないため、スライド板３３の一部がＰＣサーバ（ＰＤＶ）筐体３０の内部に位置している。
【００５８】
従って、ＡＣスイッチ（ＳＷ）３２をスイッチオフ操作し、当該スイッチのオフ側操作部（操作ボタンのオフ側腹部）がユニット筐体のパネル面と面一になるようにして、スライド板３３を図７に一点鎖線で示すスライド上端までスライドできる状態にしない限り、スライド板３３とＰＣサーバ（ＰＤＶ）筐体３０との係合を解くことができない。
【００５９】
これにより、ＰＣサーバ（ＰＤＶ）３０に於いて、電源ユニット（ＰＳ）３１を交換しようとした際は、ＡＣスイッチ（ＳＷ）３２をスイッチオフ操作した後でなければ、当該電源ユニット（ＰＳ）３１をＰＣサーバ（ＰＤＶ）筐体３０より取り外すことができない。
【００６０】
また、電源ユニット（ＰＳ）３１をＰＣサーバ（ＰＤＶ）筐体３０に収納する（取り付ける）際に於いても、ＡＣスイッチ（ＳＷ）３２をスイッチオフ操作し、当該スイッチのオフ側操作部（操作ボタンのオフ側腹部）がユニット筐体のパネル面と面一になるようにして、スライド板３３を図２に一点鎖線で示すようにスライド上端までスライドできる状態にしない限り、スライド板３３がＰＣサーバ（ＰＤＶ）筐体３０に係合して、電源ユニット（ＰＳ）３１をＰＣサーバ（ＰＤＶ）筐体３０に収納することができない。
【００６１】
これにより、電源ユニット（ＰＳ）３１をＰＣサーバ（ＰＤＶ）筐体３０に実装しようとする際も、ＡＣスイッチ（ＳＷ）３２をスイッチオフ操作した後でなければ、当該電源ユニット（ＰＳ）３１をＰＣサーバ（ＰＤＶ）筐体３０に収納できない。
【００６２】
上記したような支点３４を中心に回動するスライド板３３を用いた施錠機構を各電源ユニット（ＰＳ）３１，３１に設けることによっても、電源ユニットの故障交換時等に於けるＡＣスイッチ（ＳＷ）３２の操作ミスに伴うシステム動作上の各種不都合を確実に防止することのできる。
【００６３】
上記した図７に示す実施形態では電源スイッチがスイッチオン位置にあるとき作動が規制される回動スライド板による施錠機構を例にとったが、例えば電源ユニットのＡＣ電源入力インレットに電源プラグが差し込まれているとき作動が規制される回動スライド板による施錠機構も同様に実施可能である。
【００６４】
尚、上記した各実施形態は、いずれも電源ユニットの稼働中交換を可能にしたＰＣサーバを例にとって説明したが、ＰＣサーバに限らず、常時安定稼働が要求される各種のコンピュータシステムに容易に適用可能である。また、電源ユニットに設けられる施錠機構の構成も図示するものに限らず、ＡＣスイッチまたは電源入力インレットの状態により操作が干渉される他の構造であってもよい。
【００６５】
【発明の効果】
以上詳記したように本発明によれば、コンピュータシステムに適用される電源ユニットの稼働中交換機能を備えた電源装置に於いて、電源スイッチがオフ操作されないと、当該電源ユニットを交換することができない施錠機構を各電源ユニットに設けたことにより、電源ユニットの故障交換時等に於ける電源スイッチの操作ミスに伴うシステム動作上の各種不都合を確実に防止することができる。
【００６６】
また、本発明によれば、コンピュータシステムに適用される電源ユニットの稼働中交換機能を備えた電源装置に於いて、電源ユニットのインレットより電源プラグが抜かれた状態にならないと、当該電源ユニットを交換することができない施錠機構を電源ユニットに設けたことにより、電源ユニットの故障交換時等に於ける操作ミスに伴うシステム動作上の各種不都合を確実に防止することができる。
【００６７】
また、本発明によれば、筐体に冗長化電源を構成する複数の電源ユニット装着機構を備えて電源ユニットの稼働中交換を可能にしたＰＣサーバ等のコンピュータシステムに於いて、電源ユニットに設けられた電源スイッチがオフ操作されないと、当該電源ユニットを交換することができない施錠機構を各電源ユニットに設けたことにより、電源ユニットの故障交換時等に於ける操作ミスに伴うシステム動作上の各種不都合を確実に防止することができる。
【００６８】
また、本発明によれば、筐体に冗長化電源を構成する複数の電源ユニット装着機構を備えて電源ユニットの稼働中交換を可能にしたＰＣサーバ等のコンピュータシステムに於いて、電源ユニットのインレットより電源プラグが抜かれた状態にならないと、当該電源ユニットを交換することができない施錠機構を電源ユニットに備えたことにより、電源ユニットの故障交換時等に於ける操作ミスに伴うシステム動作上の各種不都合を確実に防止することができる。
【図面の簡単な説明】
【図１】本発明の第１実施形態に於けるＰＣサーバの背面図。
【図２】上記第１実施形態に於ける要部の構成を示す正面図。
【図３】上記第１実施形態に於ける要部の構成を示す側面図。
【図４】本発明の第２実施形態に於けるＰＣサーバの背面図。
【図５】上記第２実施形態に於ける要部の構成を示す正面図。
【図６】上記第２実施形態に於ける要部の構成を示す側面図。
【図７】上記第３実施形態に於ける要部の構成を示す正面図。
【図８】従来のＰＣサーバの背面図。
【図９】ＰＣサーバの冗長化電源構成を示すブロック図。
【符号の説明】
１０…ＰＣサーバ（ＰＤＶ）、
１１…電源ユニット（ＰＳ）、
１２…電源のオン／オフスイッチ（ＡＣスイッチ）、
１３…施錠機構（ＬＭ）、
１３ａ…スライド板、
１３ｂ…スライド板支持固定捩子、
１３ｃ…スライドガイド孔、
１４…スライドガイド、
２０…ＰＣサーバ（ＰＤＶ）の筐体、
２１…電源ユニット（ＰＳ）、
２２…ＡＣ電源の入力インレット、
２３ａ…スライド板、
２３ｂ…スライド板支持固定捩子、
２３ｃ…スライドガイド孔、
２４…スライドガイド、
２５…電源プラグ、
３０…ＰＣサーバ（ＰＤＶ）の筐体、
３１…電源ユニット（ＰＳ）、
３２…電源のオン／オフスイッチ（ＡＣスイッチ）、
３３…スライド板、
３４…支点、
３５…ストッパ。
【図１】
0003725681.tif 000002
【図２】
0003725681.tif 000003
【図３】
0003725681.tif 000004
【図４】
0003725681.tif 000005
【図５】
0003725681.tif 000006
【図６】
0003725681.tif 000007
【図７】
0003725681.tif 000008
【図８】
0003725681.tif 000009
【図９】
0003725681.tif 000010